(57)【要約】【課題】キャビテーションの発生を抑制し、作動油に混入した空気の排出効率を高めることができるリザーバタンクを供給する。【解決手段】作動油を蓄積するタンク部５と、作動油の流出パイプ７が形成された漏斗部８とを備え、タンク部５と漏斗部８との間にはフィルタ３が配設され、作動油を加圧するバッフラ４には流入パイプ２が取着される。そして、バッフラ４の奥壁部４ｂに作動油の流れがあたり、フィルタ３を通過した作動油の流れを流出パイプ７に流す本流ｆ３とタンク部５に流す支流ｆ４とに分離する湾曲端部１４を設けた。【選択図】      図２
2006046603.tif 000002
【特許請求の範囲】
【請求項１】
作動油を蓄積するタンク部と、作動油の流出口が形成された漏斗部とを備え、前記タンク部と漏斗部との間にはフィルタが配設され、作動油を加圧するバッフラには流入口が取着されるリザーバタンクであって、
前記バッフラの奥壁部にあたり前記フィルタを通過した作動油の流れを前記流出口に流す本流と前記タンク部に流す支流とに分離する湾曲端部を設けたこと、を特徴とするリザーバタンク。
【請求項２】
前記フィルタの漏斗部側のフィルタ面と、前記漏斗部の上部に設けられた有底円筒状の皿状部の底面との間には、所定の高さを有する空間が設けられた請求項１に記載のリザーバタンク。
【請求項３】
前記所定の高さを有する空間の高さは、８ｍｍ以上１２ｍｍ以下である請求項２に記載のリザーバタンク。
【請求項４】
前記作動油の流れがあたる奥壁部の壁面は、前記フィルタ面に対して、垂直あるいは傾斜のある角度とし、前記流出口を前記流入口に対して同位相角度を成すように配置した請求項１又は２に記載のリザーバタンク。
【発明の詳細な説明】
【技術分野】
【０００１】
本発明は、例えば油圧式パワーステアリング装置に用いられ、作動油の蓄積、ろ過等を行う加圧式のリザーバタンクに関する。
【背景技術】
【０００２】
従来、この種のリザーバタンクとしては、例えば特許文献１に記載されたリザーバタンクが知られている。図７に、この文献に記載されているリザーバタンクの構造を示す。
リザーバタンク１０１は、流入パイプ１０２から流入する作動油を加圧し、作動油をろ過するフィルタ１０３を透過し易くするバッフラ１０４を備えた加圧式リザーバタンクである。
【０００３】
流入パイプ１０２から流入される作動油は、バッフラ１０４の加圧室１０７内に圧送されることによって流速が減少し、流速エネルギが圧力エネルギに変換されて加圧される。そして、加圧室１０７内は正圧となる。これに対して、漏斗部１０６の漏斗室１０８は、流出パイプ１０５を介して図示しないオイルポンプの吸入側に接続されているので、オイルポンプの吸引力が作用し、負圧となる。
【０００４】
これにより、リザーバタンク１０１内の作動油は、上記フィルタ１０３を挟んで正圧と負圧とが間近で対向することとなる。そして、このような圧力差が生じることによって、図８に示すように、たとえ粘性の高い状態の作動油であっても円滑にフィルタ１０３を通過できるようになる。従って、作動油がオイルポンプの吸引力に応じて円滑に流れることで、作動油の粘性が高い低温時等においても、オイルポンプの吸込み不良に起因したキャビテーションの発生を抑制する。
【特許文献１】特許２００１−１３８９３４号公報（段落［００３６］−［００４７］、第８図）
【発明の開示】
【発明が解決しようとする課題】
【０００５】
ところで、冬期寒冷地等の極低温条件においてエンジンを始動させると、作動油の粘性が高いため、オイルポンプの吸込み要求に作動油が追随せずにキャビテーションが発生する。無加圧式のリザーバタンクでは、キャビテーションにより作動油に混入した空気が、タンク部を通過することで作動油から抜ける。
【０００６】
しかしながら、加圧式のリザーバタンク１０１では、流入パイプ１０２から加圧室１０７を介して流出パイプ１０５へ流れる作動油の量に比べ、タンク部１０９の加圧室１０７外に蓄積（貯留）されている作動油の油面側に流れる作動油の量が極めて少なく、前記蓄積されている作動油は循環（流動）の少ない淀んだ状態となっている。このため、作動油に混入した空気が抜けにくく、オイルポンプにて発生する異音の持続要因となっていた。
【０００７】
本発明は、上記実情に鑑みてなされたものであり、その目的は、キャビテーションの発生を抑制し、作動油に混入した空気の排出効率を高めることができるリザーバタンクを供給することにある。
【課題を解決するための手段】
【０００８】
上記問題点を解決するために、請求項１に記載の発明は、作動油を蓄積するタンク部と、作動油の流出口が形成された漏斗部とを備え、前記タンク部と漏斗部との間にはフィルタが配設され、作動油を加圧するバッフラには流入口が取着されるリザーバタンクであって、前記バッフラの奥壁部にあたり前記フィルタを通過した作動油の流れを前記流出口に流す本流と前記タンク部に流す支流とに分離する湾曲端部を設けたことを要旨とする。
【０００９】
このような構成によれば、湾曲端部にて支流ができることで、該支流はタンク部内に流れ込むようになる。そして、タンク部内に蓄積されている作動油に循環が生じる。このようなリザーバタンクのタンク部内は大気開放されているため、タンク部内に作動油が流れ込むことで作動油にたとえ空気が混入していたとしても空気孔を通じて外部に排出されることとなる。
【００１０】
また、バッフラによって作動油が加圧されることで作動油の流れ不良もないものとなる。そして、作動油の流れ不良をなくすことでキャビテーションの発生を抑制することができる。ここでキャビテーションとは、オイルポンプの吸込み不良等によって高速で流れる液体の中の圧力の低い部分が気化して、非常に短期間に蒸気の空洞（キャビティ）が生まれ、また非常に短い時間で潰れて消滅する現象のことである。このキャビティが潰れることで騒音（異音）が発生する。
【００１１】
このように、本流と支流とに分離する湾曲端部を設けたことで、キャビテーションを抑制し、また作動油に混入した空気の排出効率を高くすることができる。
請求項２に記載の発明は、前記フィルタの漏斗部側のフィルタ面と、前記漏斗部の上部に設けられた有底円筒状の皿状部の底面との間には、所定の高さを有する空間が設けられたことを要旨とする。
【００１２】
この高さは、バッフラの奥壁部に沿った作動油の流れが、その勢いを著しく減じることなく湾曲端部にあたる大きさ（距離）であり、この部位ではね返ってタンク部へ向かう流れ（「支流」）を創出しやすくしている。前記高さが大き過ぎると、湾曲端部にあたる際の作動油の勢いが弱くなり、支流ができにくい。
【００１３】
その一方で、作動油の前記勢いを確保するために前記高さを小さくし過ぎると、支流の流動を阻害する（流路断面積が不足する）ことになるため、前記高さは所定の高さが必要となる。これにより、形成された上記支流は好適にタンク部内へ流れ込むこととなる。このように、所定の高さを有する空間が設けられたことによって、湾曲端部にて形成された支流はタンク内へ流れ込み、作動油の循環が行われることとなる。
【００１４】
請求項３に記載の発明は、前記所定の高さを有する空間の高さは、８ｍｍ以上１２ｍｍ以下であることを要旨とする。
このような構成によれば、所定の高さを有する空間の高さが８ｍｍ以上１２ｍｍ以下であることによって、湾曲端部にて支流が生まれ、該支流がタンク部に流れ込むこととなる。そして、タンク内の作動油が循環されることとなる。なお、ここで所定の高さは、発明者が実験によって導き出した値であって、作動油の粘性により決定される。なお油圧式パワーステアリング装置では、決められた規格の作動油が用いられており、リザーバタンクの形状やタンクの大きさの大小に影響されないことが実験により明らかになっている。
【００１５】
請求項４に記載の発明は、前記作動油の流れがあたる奥壁部の壁面は、前記フィルタ面に対して、垂直あるいは傾斜のある角度とし、前記流出口を前記流入口に対して同位相角度を成すように配置したことを要旨とする。
【００１６】
このような構成によれば、バッフラの奥壁部の壁面は、フィルタの平面に対して、垂直あるいは傾斜のある角度である。なお、ここで、バッフラの奥壁部の壁面の角度とは、作動油が上記湾曲端部にあたる角度であって、垂直あるいはやや傾斜のある角度が望ましい。またここで、傾斜のある角度とは例えば金型抜き勾配のレベルで１度以内の傾斜角度である。
【００１７】
また、前記流出口を前記流入口に対して同位相角度を成すように配置したことによって、流入口から流入した作動油の流れは、作動油の粘性が高いときには、作動油をスムーズに流出口に流し、キャビテーションの発生を抑制する。一方、作動油の粘性が低いときには、作動油の流れは、バッフラの奥壁部の壁面にあたり、漏斗部の湾曲端部にあたることとなるため、より効率的に支流が生じる。
【発明の効果】
【００１８】
本発明によれば、キャビテーションを抑制し、また作動油に混入した空気の排出効率が高いリザーバタンクを提供することができる。
【発明を実施するための最良の形態】
【００１９】
以下、本発明を具体化した一実施形態を図面に従って説明する。
はじめに、図１〜図５を参照して本実施形態のリザーバタンクの構造について説明する。図１は、本実施形態のリザーバタンク１の外観構造を示した側面図および一部断面図である。図２（ａ）はリザーバタンクの断面図を示し、図２（ｂ）は図２（ａ）の領域Ｚを拡大して示す断面図である。図３はリザーバタンクに設けられた中間部材の概略構造を示す平面図である。図４は、リザーバタンクの下面図である。図５はリザーバタンクの下端部を切断して示す上面図である。なお、図１、図２は図５のＡ−Ａ断面とＢ−Ｂ断面とを便宜上、同軸で結合して示している。
【００２０】
図１に示されるように、このリザーバタンク１は流入口（流入パイプ）２から流入する作動油を加圧し、作動油のろ過を行うフィルタ３を透過し易くするバッフラ４を備えた加圧式リザーバタンクである。なお、このようなリザーバタンク１は、自動車のエンジンルーム内に配設され、ゴムホース、金属チューブ等の配管によって、流入パイプ２はアクチュエータであるパワーアシスト機構部の排出側に、流出パイプ７は油圧源であるオイルポンプの吸入側にそれぞれ接続される。また、タンク部５の注油口は、オイルキャップ１６によって、わずかな大気連通状態を保って閉塞されている。
【００２１】
このリザーバタンク１は、作動油を蓄積する上部本体（タンク部）５と、上記バッフラ４と、上記フィルタ３が配設される中間部材６と、流出口（流出パイプ）７を介してオイルポンプ（図示略）に接続される下部本体（漏斗部）８とを備えて構成されている。
【００２２】
タンク部５は、図１、図２に示されるように、略円筒形状をした例えば合成樹脂製の成形体であり、上端部には油を注入する注油口１７が形成され、下端部にはつば状に張り出したフランジ部５ａが形成されている。このフランジ部５ａの下面には、溶着の際に用いられる環状に隆起した溶着部（図示略）が設けられている。また、タンク部５の下端部には、流入パイプ２が取着形成されている。なお、この流入パイプ２はタンク部５の本体と一体成形されて設けられていてもよい。
【００２３】
また、中間部材６は、図３に示されるように、略リング形状をした例えば合成樹脂製の成形体であり、その外周にリング部３ｃを有している。この中間部材６の内周は円孔３ａとなっており、この円孔３ａの周囲には、環状の隔壁１０によって隔てられ、円周上に複数配置されたまゆ型孔３ｂが形成されている。これら円孔３ａ、まゆ型孔３ｂには、例えばナイロン製のフィルタ３が設けられている。なお、このフィルタ３は、作動油をろ過するためのものであり、その材質や中間部材６への取り付け方法は任意である。また、リング部３ｃの上面および下面の周縁には、溶着の際に用いられる、溶着部（図示略）がそれぞれ設けられている。
【００２４】
また、フィルタ３は、円孔３ａに設けられ作動油をバッフラ４の加圧室１１から漏斗部８の漏斗室１２へ流出させる加圧室フィルタ３ｄと、まゆ型孔３ｂに設けられ作動油を漏斗室１２からタンク部５へ流出させる加圧室外フィルタ３ｅとから構成されている。そして、加圧室外フィルタ３ｅの面積は、フィルタ３の総面積（３ｄと３ｅの合計面積）の５５％に設定されている。
【００２５】
図１、図２に示されるように、バッフラ４はフィルタ３の円孔３ａの外径（壁部１０の内径）と略同一の内径を有する凹部９を備えており、タンク部５に対して取り付けられている。そして、バッフラ４の凹部９と中間部材の隔壁１０とフィルタ３とにより加圧室１１が区画形成されている。この加圧室１１はバッフラ４に形成された通孔４ａによって流入パイプ２と連通され、流入パイプ２から流入する作動油の略全量が加圧室１１内に流入するようになっている。また、バッフラ４は、タンク部５の内周面に向かって延びるつば状のバッフラフランジ部１５（図５）を有し、上記タンク部５と上記中間部材６との間に挟み込まれる態様で配設されている。
【００２６】
また、漏斗部８は、略漏斗形状をした例えば合成樹脂製の成形体であり、この漏斗部８には流出パイプ７が一体に接続されている。なお、流入パイプ２とバッフラ４とは別体として設けられていてもよい。
【００２７】
この漏斗部８の上部には、有底円筒状の皿状部１３が設けられ、該皿状部１３にはリザーバタンク本体の径線方向に上記流入パイプ２といわゆる同位相をなす流出パイプ７が上記皿状部１３の底面１３ａに接続されている。皿状部１３と流出パイプ７は、該皿状部１３の内部と流出パイプ７の内部とが連通するように接続され、その接続部分は略漏斗形状に形成されている。そして、この皿状部１３の上端は、上記中間部材６に溶着される溶着部（図示略）が設けられている。なお、このタンク部５と漏斗部８とは、製造工程において中間部材６を挟んで回転可能に組み付けられ、後述する通孔４ａと流出パイプ７とが成す角度の決定後に溶着される。
【００２８】
また、この漏斗部８の内部、すなわちフィルタ３の直下にはフィルタ３、皿状部１３、流出パイプ７によってフィルタ３を通過した作動油を流出パイプ７に導く漏斗室１２が区画されている。そして、皿状部１３は、フィルタ３の漏斗室側のフィルタ面３ｆと上記皿状部１３の底面１３ａとの間が所定距離離間するように形成され、それによって所定の高さαを有する空間が形成されている。なお、本実施形態では、この空間の高さαが加圧室１１の高さβと同程度に設定されている。ここの、この空間の高さα（加圧室の高さβ）は好ましくは８〜１２ｍｍの範囲の値であり、本実施形態では１０．８ｍｍに設定されている。なお、ここで所定の高さαは、発明者が実験によって導き出した値であって、作動油の粘性により決定される。なお油圧式パワーステアリング装置では、決められた規格の作動油が用いられており、リザーバタンク１の形状やタンクの大きさの大小に影響されないことが実験により明らかになっている。
【００２９】
また、バッフラ４内を流れる作動油があたるバッフラ４の奥壁部４ｂの下側には、上記皿状部１３と流出パイプ７の接続部分であり、該流出パイプ７に向けて湾曲する曲線の開始端部（湾曲端部１４）が設けられている。この湾曲端部１４は、バッフラ４の奥壁部４ｂによって流れの方向が変えられた作動油があたる位置に形成されている。つまり、図２（ａ）に示す矢印ｆ２に沿って流れる。その作動油は、図２（ｂ）に示すように、湾曲端部１４によって、流出パイプ７に向かう流れ（本流ｆ３）と、タンク部５に向かう流れ（支流ｆ４）とに分流される。この湾曲端部１４は、図４に示されるように、リザーバタンク１を下面から見て、図示の態様で半円型に端部が配設されている。
【００３０】
なお、作動油の流れがあたる奥壁部４ｂの壁面は、フィルタ３の平面に対して、垂直に形成され、上記流出パイプ７は、上記通孔４ａと同位相角度に配設されている。なお、ここで同位相角度とは、流出パイプ７の配設位置が、流入パイプ２の通孔４ａの軸線方向を中心に正方向に０度から９０度までの角度、あるいは負方向に０度から９０度の範囲の位置にある角度のことをいう。正方向とは図５において、時計回り方向であり、負方向とは同図５において、反時計回り方向である。
【００３１】
このような構成とすることで、上記リザーバタンク１は次のように作用する。
まず、流入パイプ２から流入される作動油は、上記バッフラ４の加圧室１１内に圧送されることによって流速が減少し、流速エネルギが圧力エネルギに変換されて加圧がなされる。そして、加圧室１１内は正圧となる。これに対して、漏斗部８の漏斗室１２は、流出パイプ７を介してオイルポンプの吸入側に接続されているので、オイルポンプの吸引力が作用し、負圧となる。
【００３２】
これにより、リザーバタンク１内の作動油は、上記フィルタ３を挟んで正圧（加圧室１１）と負圧（漏斗室１２）とが間近で対向することとなる。そして、このような圧力差が生じることによって、図８に示すように、たとえ粘性の高い状態の作動油であっても円滑にフィルタ３を通過できるようになる。
【００３３】
次に、図６を参照して、このような構成のリザーバタンク１の低温時（例えば−３０℃）と高温時（例えば８０度）と極低温（例えば−４０℃）におけるエンジン始動瞬時の流れ解析の実験結果について説明する。
【００３４】
・低温時の作動油の流れ解析について
図６（ａ）に示されるように、作動油は、低温時には一般に油の粘性が高く、流動性が低いため、流入パイプ２から流入した作動油はバッフラ４にて加圧され上記漏斗部８の流出パイプ７を通じてオイルポンプに吸入されることとなる。すなわち、作動油は、矢印ｆ１（図２（ａ）も参照のこと）に沿って流れる。このようにバッフラ４によって加圧されることで作動油の流れ不良もないものとなる。また、流出パイプ７を流入パイプ２に対して同位相角度を成すように配置したことで、流入パイプ２から流出パイプ７へ作動油がスムーズに流れる。このため、作動油の流れ不良をなくすことができ、オイルポンプのキャビテーションの発生を抑制することができる。また、バッフラ４（加圧室１１）内からフィルタ３を通過した作動油の一部が湾曲端部１４付近の皿状部１３ではね返り、漏斗部８からタンク部５への流れが少量ながらでき、オイルポンプの吸引力によってタンク部５から漏斗部８への流れもできるので、タンク部５内に蓄積されている作動油に循環（流動）が生じ、作動油に混入した空気が抜けやすくなる。ちなみに、−３０［℃］の実験条件において、この時の作動油の特性は、密度が８．７×１０２［ｋｇ／ｍ３］、粘性係数が１４．４［Ｐａ・Ｓ］である。
【００３５】
・高温時の作動油の流れ解析について
図６（ｂ）に示されるように、作動油は、高温時には一般に油の粘性が低く、流動性が高い。そして、作動油の流れがあたる奥壁部４ｂの壁面は、前記フィルタ面３ｆに対して、垂直の角度であるため、作動油の流れは、バッフラ４の奥壁部４ｂにあたった後、フィルタ３ｄを勢いよく通過して湾曲端部１４にあたる。そして、この作動油の流れは湾曲端部１４にて２つの流れに分流されることとなる。すなわち、上記流出パイプ７側（オイルポンプ側）へ流れる流れ（「本流ｆ３」）と、前記湾曲端部１４付近の皿状部１３にて作動油がはね返るように方向を変え、上記所定の高さαを有する空間を通って、タンク部５へ流れる流れ（「支流ｆ４」）である。
【００３６】
このように、支流ｆ４ができることで、高温時、作動油はタンク部５内に流れ込むようになる。また、一般にこのようなリザーバタンク１のタンク部５内は大気開放されている。そして、タンク部５内に作動油が流れ込むことで作動油にたとえ空気が混入していたとしても空気孔を通じて外部に排出されることとなる。ちなみに、８０［℃］の実験条件において、この時の作動油の特性は、密度が８．３×１０２［ｋｇ／ｍ３］、粘性係数が９．１×１０−３［Ｐａ・Ｓ］である。
【００３７】
・極低温条件におけるエンジン始動瞬時の流れ解析について
図６（ｃ）に示されるように、極低温条件におけるエンジン始動瞬時には、当然ながらリザーバタンク→オイルポンプ→パワーアシスト機構部→リザーバタンクといった油圧回路に作動油の循環が生じていないため、極低温下で作動油の粘性が高いこともあいまって、パワーアシスト機構部の排出側から流入パイプ２を経てバッフラ４（加圧室１１）内へ供給される作動油が極端に少なくなっている。そのため、オイルポンプの回転に伴って、タンク部５内に蓄積（貯留）されている作動油を吸うこととなり、タンク部５内の油面が下がる。本実施形態では、加圧室外フィルタ３ｅの面積をフィルタ総面積の５５％とする（加圧室外フィルタ３ｅを広めにする）ことでタンク部５から漏斗部８への作動油が円滑に流れ、エンジン始動時の流れ不良が低減され、キャビテーションの発生が抑制される。
【００３８】
以下、本実施形態によれば、以下のような効果を得ることができる。
（１）湾曲端部１４にて支流ｆ４ができることで、該支流ｆ４はタンク部５内に流れ込むようになる。そして、タンク部５内に蓄積されている作動油に循環が生じる。このようなリザーバタンク１のタンク部５内は大気開放されているため、タンク部５内に作動油が流れ込むことで作動油にたとえ空気が混入していたとしても空気孔を通じて外部に排出される。
【００３９】
また、バッフラ４によって作動油が加圧されることで作動油の流れ不良もないものとなる。そして、作動油の流れ不良をなくしたことでキャビテーションの発生を抑制することができる。
【００４０】
このように、本流ｆ３と支流ｆ４とに分離する湾曲端部１４を設けたことで、キャビテーションを抑制し、また作動油に混入した空気の排出効率を高くすることができる。
（２）フィルタ３の漏斗室側フィルタ面３ｆから前記皿状部１３の底面１３ａまでの高さαを加圧室１１の高さβと同程度に設定した。
【００４１】
この高さαは、バッフラ４の奥壁部４ｂに沿った作動油の流れが、その勢いを著しく減じることなく湾曲端部１４にあたる大きさ（距離）であり、この部位ではね返ってタンク部５へ向かう流れ（「支流ｆ４」）を創出しやすくしている。前記高さαが大き過ぎると、湾曲端部１４にあたる際の作動油の勢いが弱くなり、支流ｆ４ができにくい。
【００４２】
その一方で、作動油の前記勢いを確保するために前記高さを小さくし過ぎると、支流ｆ４の流動を阻害する（流路断面積が不足する）ことになるため、前記高さαは加圧室１１の高さと同程度の大きさが必要となる。これにより、形成された前記支流ｆ４は好適にタンク部５内へ流れ込むこととなる。
【００４３】
（３）バッフラ４の奥壁部４ｂの壁面は、フィルタ３の平面に対して、垂直の角度とし、上記流出パイプ７は、流入パイプ２の通孔４ａと同位相の角度位置に配設されることとすることで、流入パイプ２から流入した作動油の流れは、作動油の粘性が高いときには、作動油をスムーズに流出パイプ７に流し、キャビテーションの発生を抑制する。一方、作動油の粘性が低いときには、作動油の流れは、バッフラ４の奥壁部４ｂの壁面にあたり、漏斗部８の湾曲端部１４にあたることとなるため、より効率的に支流が生じる。
【００４４】
（４）また、流出パイプ７を流入パイプ２に対して同位相角度を成すように配置したことで、流入パイプ２から流出パイプ７へ作動油をスムーズに流し、キャビテーションの発生を抑制することができる。
【００４５】
（５）加圧室外フィルタ３ｅの面積をフィルタ３の総面積の５５％とし、加圧室外フィルタ３ｅを広めにとることで、エンジンの始動瞬時において、タンク部５内の加圧室１１外に蓄積されている作動油が漏斗部８へ流動することを容易にしており、キャビテーションの発生が抑制できるようになる。
【００４６】
なお、上記実施形態は以下のように変更してもよい。
・上記実施形態では、高温時には、作動油の流れは湾曲端部１４にて２つの流れに分流され、本流ｆ３と、支流ｆ４とができるとしたが、本流ｆ３と支流ｆ４との比率は５０％ずつが望ましい。このように本流ｆ３と支流ｆ４との比率が５０％となることで、好適にタンク部５に作動油が流れ、作動油にたとえ空気が混入していたとしても上記空気孔を通じて外部に排出されることとなる。
【００４７】
・上記実施形態では、作動油の流れがあたる奥壁部４ｂの壁面は、フィルタ３の平面に対して、垂直角度としたが、垂直に限らず、やや傾斜のある角度（例えば、金型の型抜き勾配のレベルで１度以内の傾斜角）であってもよい。また、流出パイプ７は流入パイプ２に対して同位相角度を成すように配置されていればよい。
【００４８】
・上記実施形態では、所定の高さαを有する空間を１０．８ｍｍとしたが、例えばプラスマイナス０．５ｍｍの範囲があってもよい。すなわち、所定の高さαを有する空間を１０．３ｍｍ以上１１．３ｍｍ以下の高さとしてもよい。また、所定の高さαを有する空間を８ｍｍ以上１２ｍｍ以下の高さとすれば、上述ように、「支流ｆ４」を作り出すことはできるようになる。すなわち、上記所定の高さαを有する空間は１０．８ｍｍが最も望ましいが、８ｍｍ以上１２ｍｍ以下の高さであればよい。
【００４９】
・上記実施形態では、フィルタ３は中間部材６に配設されることとしたが、流入パイプ２と流出パイプ７との間に配設されていればよい。要は、正圧空間と負圧空間とを形成して、作動油を加圧して圧送し、且つ少なくとも高温時には「支流ｆ４」ができる構造であればよくフィルタ３の配設位置としては任意である。
【００５０】
・上記実施形態では、極低温時として−４０［℃］、低温時として−３０［℃］、高温時として８０［℃］を例示したが、リザーバタンク１の運転条件としてはこのような運転条件に限るものではない。このようなリザーバタンク１は約−４０［℃］から約１２０［℃］の運転条件で使用される。作動油の特性は４０［℃］を超えるとほぼ同じであるため、上記実施形態では高温時として８０［℃］を例示したが、実際には約−４０［℃］から約１２０［℃］までの全てのリザーバタンク１の運転条件でこの発明を適用することができる。
【００５１】
次に、以上の実施形態から把握することができる請求項以外の技術的思想を記載する。
（イ）前記所定の高さを有する空間は、前記フィルタの漏斗室側フィルタ面から前記底部の底面までの高さが１０．３ｍｍ以上１１．３ｍｍ以下である請求項３に記載のリザーバタンク。
【００５２】
（ロ）前記所定の高さを有する空間は、前記フィルタの漏斗室側フィルタ面から前記底部の底面までの高さが１０．８ｍｍである（イ）に記載のリザーバタンク。
【図面の簡単な説明】
【００５３】
【図１】リザーバタンク１の外観構成を示した側面図および一部断面図。
【図２】（ａ）はリザーバタンクの断面図、（ｂ）は（ａ）の領域Ｚを拡大して示す断面図。
【図３】リザーバタンクに設けられた中間部材の概略構造を示す平面図。
【図４】リザーバタンクの下面図。
【図５】リザーバタンクの下端部を切断して示す上面図。
【図６】（ａ）は、低温時の流れ解析図、（ｂ）は、高温時の流れ解析図、（ｃ）は、極低温条件におけるエンジン始動瞬時の流れ解析図。
【図７】従来のリザーバタンクの一例についてその概略構造を示す断面図。
【図８】図７のリザーバタンクについて、その低温時高温時共通の流れ解析図。
【符号の説明】
【００５４】
１…リザーバタンク、２…流入口（流入パイプ）、３…フィルタ、３ａ…円孔、３ｂ…まゆ型孔、３ｃ…リング部、３ｄ…加圧室フィルタ、３ｅ…加圧室外フィルタ、３ｆ…フィルタ面、４…バッフラ、４ａ…通孔、４ｂ…奥壁部、５…上部本体（タンク部）、５ａ…フランジ部、６…中間部材、７…流出口（流出パイプ）、８…下部本体（漏斗部）、９…凹部、１０…隔壁、１１…加圧室、１２…漏斗室、１３…皿状部、１３ａ…底面、１４…湾曲端部、１５…バッフラフランジ部、１６…オイルキャップ、１７…注油口。
【図１】
2006046603.tif 000003
【図２】
2006046603.tif 000004
【図３】
2006046603.tif 000005
【図４】
2006046603.tif 000006
【図５】
2006046603.tif 000007
【図６】
2006046603.tif 000008
【図７】
2006046603.tif 000009
【図８】
2006046603.tif 000010